(57)【特許請求の範囲】
【請求項１】
略四辺形の底板部と、前記底板部の前方に連接した前板部と、前記底板部の後方に連接した後板部と、前記底板部の右方に連接した右側板部と、前記底板部の左方に連接した左側板部とを有する段ボールまたは厚紙で形成されたブランクを折り曲げて形成される梱包箱であって、
前記ブランクは、
前記右側板部の前方に連接する右前方フラップと、
前記右側板部の後方に連接する右後方フラップと、
前記左側板部の前方に連接する左前方フラップと、
前記左側板部の後方に連接する左後方フラップと、
前記前板部を介して前記底板部と連接する第１天板部であって前記底板部の略二分の一の長さを有する第１天板部と、
前記後板部を介して前記底板部と連接する第２天板部であって前記底板部の略三分の二の長さを有する第２天板部と、
前記右前方フラップと前記左前方フラップとを連結する前方フラップ連結手段と、
前記右後方フラップと前記左後方フラップとを連結する後方フラップ連結手段と、
前記右側板部、前記左側板部、前記前板部および前記後板部のすべてまたは何れかに設けられた通気孔と、
前記第１天板部と前記第２天板部とを連結するために前記第１天板部に形成された天板係止爪および前記第２天板部に形成された天板係止スリットとを有し、
前記天板係止爪及び前記天板係止スリットは前記第１天板部及び前記第２天板部により形成される天板部の略中央に配置され、
さらに、前記前板部側に向け折り曲げられた前記第２天板部の前記天板係止スリットの手前近傍に、前記第１天板部を折り曲げるだけで前記第１天板部の前記天板係止爪の先端を位置づけることができるように、
前記前方フラップ連結手段で連結された前記右前方フラップおよび前記左前方フラップの外側前面と接するように折り曲げられた前記前板部の、前記第１天板部側の略二分の一の領域を反らせ且つ前記右前方フラップおよび前記左前方フラップから離すことができるように、前記前板部を前記右側板部および前記左側板部と連結するための、
前記底板部と前記第１天板部との略中間となる部位において、前記前板部および前記右側板部の何れか一方に形成された右前方側部係止舌片および他方に形成された右前方側部係止孔を有する右前方側部連結手段、および前記底板部と前記第１天板部との略中間となる部位において、前記前板部および前記左側板部の何れか一方に形成された左前方側部係止舌片および他方に形成された左前方側部係止孔を有する左前方側部連結手段と、
また、前記後方フラップ連結手段で連結された前記右後方フラップおよび前記左後方フラップの外側後面と接するように折り曲げられた前記後板部の、前記第２天板部側の略二分の一の領域を反らせ且つ前記右後方フラップおよび前記左後方フラップから離すことができるように、前記後板部を前記右側板部および前記左側板部と連結するための、
前記底板部と前記第２天板部との略中間となる部位において、前記後板部および前記右側板部の何れか一方に形成された右後方側部係止舌片および他方に形成された右後方側部係止孔を有する右後方側部連結手段、および前記底板部と前記第２天板部との略中間となる部位において、前記後板部および前記左側板部の何れか一方に形成された左後方側部係止舌片および他方に形成された左後方側部係止孔を有する左後方側部連結手段とを有し、
さらにまた、前記天板係止爪を前記天板係止スリットに係止して連結された前記第１天板部および前記第２天板部によって閉止された該梱包箱を開封するための、
前記前板部と前記底板部との境界近傍から前記前板部の右辺部における前記右前方側部係止舌片または前記右前方側部係止孔と前記第１天板部との間の部位にかけて形成された第１引裂き線と、
前記前板部と前記底板部との境界近傍から前記前板部の左辺部における前記左前方側部係止舌片または前記左前方側部係止孔と前記第１天板部との間の部位にかけて形成された第２引裂き線と、
前記第１引裂き線と前記第２引裂き線との間で且つ前記前板部と前記底板部との境界線上の中央部近傍に配設された引裂き始点部とを有することを特徴とする梱包箱。
【請求項２】
請求項１に記載の梱包箱において、前記通気孔が前記右側板部および前記左側板部に設けられている場合には、前記右側板部の前記通気孔および前記左側板部の前記通気孔は前記底板部を挟んで略対称に配設されていることを特徴とする梱包箱。
【請求項３】
請求項１に記載の梱包箱において、前記通気孔が前記前板部および前記後板部に設けられている場合には、前記右前方フラップ、前記右後方フラップ、前記左前方フラップおよび前記左後方フラップのすべてまたは何れかはフラップ通気孔を更に有し、
前記右前方フラップ、前記右後方フラップ、前記左前方フラップおよび前記左後方フラップが前記底板部に対し同じ方向で且つ略垂直に折曲して形成されるとともに、前記右側板部および前記左側板部が前記右前方フラップおよび前記左前方フラップの折り曲げ方向と同じ方向に折曲して形成されて、前記右前方フラップと前記左前方フラップとが前記前方フラップ連結手段で連結されるとともに、前記右後方フラップと前記左後方フラップとが前記後方フラップ連結手段で連結され、
前記前板部が前記右前方フラップおよび前記左前方フラップに略接するように折曲した状態で前記右前方フラップおよび前記左前方フラップの双方または一方が有するフラップ通気孔と前記前板部が有する前記通気孔とが連通し、
前記後板部が前記右後方フラップおよび前記左後方フラップに略接するように折曲した状態で前記右後方フラップおよび前記左後方フラップの双方または一方が有するフラップ通気孔と前記後板部が有する前記通気孔とが連通することを特徴とする梱包箱。
【請求項４】
請求項３に記載の梱包箱において、前記前板部の前記通気孔および前記後板部の前記通気孔は前記底板部を挟んで略対称に配設されていることを特徴とする梱包箱。
【請求項５】
前記ブランクは、前記右側板部を介して前記底板部と連接する右内側フラップと、前記左側板部を介して前記底板部と連接する左内側フラップとを有することを特徴とする請求項１ないし４の何れかに記載の梱包箱。
【請求項６】
請求項１ないし５の何れかに記載の梱包箱において、
前記ブランクは更に、前記底板部と前記前板部との境界領域である底板前辺部および前記底板部と前記後板部との境界領域である底板後辺部の双方または一方に設けられた底板側積重ね部と、前記第１天板部と前記前板部との境界領域である天板部前辺および前記第２天板部と前記後板部との境界領域である天板部後辺の双方または一方に設けられた天板側積重ね部とを有し、
前記底板前辺部に前記底板側積重ね部が設けられている場合には、前記底板側積重ね部および前記天板側積重ね部が前記前板部を挟んで対称に配設されており、
前記底板後辺部に前記底板側積重ね部が設けられている場合には、前記底板側積重ね部および前記天板側積重ね部が前記後板部を挟んで対称に配設されていることを特徴とする梱包箱。
【請求項７】
前記底板側積重ね部は積重ね部爪を有し、前記天板側積重ね部は積重ね部スリットを有することを特徴とする請求項６に記載の梱包箱。
【発明の詳細な説明】
【技術分野】
【０００１】
本発明は、ブランクを折り曲げるだけで形成できる梱包箱に関するものであり、特に通気性に優れ、物品等を容易に収容でき、開梱が容易な梱包箱に関するものである。
【背景技術】
【０００２】
種々の物品を配送または保管等するための梱包箱は、４つの側面（２つの端面および２つの側面）、天面部および底面部となる各板部を折り目線に従って折ることで、形成されるものが一般的である。こうした梱包箱は、少なくとも４つの側面の一部を糊づけ等するとともに、底面部および天面部を構成するフラップをテープで貼着して、またはホッチキスで綴じて形成される。例えば特許文献１および２が開示する梱包箱は、側面の一部を糊づけ等するとともに、梱包箱の底部（上蓋）をなす２枚のフラップをテープで貼着するものである。
【０００３】
このような梱包箱は、組立て時および物品収容後における閉止において、糊づけやテープの貼着作業（またはホッチキス綴じ）が生じる。さらに開梱に際し、ナイフ等を用いてテープを剥がす作業および工具を用いてホッチキス綴じ部を解除する作業等が生じる。したがって、組立て時、物品収容時および開梱時において、ブランク以外の材料費、テープ貼着等の煩雑な作業が生じる。
【０００４】
また上記梱包箱は、いずれも箱体内部空間の開口部に２つの側面と連接して上蓋（天面部）を構成する２つのフラップを有しており（例えば特許文献１の図８、および特許文献２の図３、図５）、これらフラップを開口部の外側に向けて折り曲げなければ、開口部の一部が塞がれて物品収容の障害となる。さらに２つの端面にも上蓋の内側に折り込まれるフラップが連接しており、これらフラップも物品収容の障害となり得る。
【０００５】
これら梱包箱を積重ねた場合、下側の梱包箱が受ける加重は、天面部、２つの側面および２つの端面に加わるが、天面部は両開きであり、加重は天面部中央を開くように作用し、各側面および各端面はいずれも１枚構成の板部のため、強度改善の余地がある。また、これら梱包箱は通気性が考慮されていない（例えば野菜等を収容するためには、通気性を改善する必要があり、好ましくは、収容物に付着等した水分を排出できることが望まれる。）。
【０００６】
加えて、これら梱包箱を重ねる場合には、下方の梱包箱の天面と、上方の梱包箱の底面とがずれないような、慎重な作業が求められ、仮に積重ね時にずれがなくても、運送中の振動等でずれが生じ得る。
【０００７】
特許文献３が開示する梱包箱は、ブランクを折り曲げるだけで梱包箱を形成でき、通気性を有し、物品を容易に収容することができ、また道具を用いることなく開梱可能である。八角形側壁（特許文献１、２の梱包箱の天面、底面に相当する）を有するこの梱包箱は、八角形側を重ねるようにして車両に積載等すれば、各梱包箱の間に生じる空間で通気性を確保できる。
【０００８】
しかし、この梱包箱も、複数のフラップが箱体内部空間の開口部の四方に立ち上がるため（例えば特許文献３の図２、図４等）、物品収容の障害となり得る。
【０００９】
また、この梱包箱は、底面および天面（いずれも矩形で、特許文献１、２の梱包箱の側面に相当する）が一枚の板部で構成されていないため、比較的重量のある根菜類や果物を収容して梱包箱を持ち運ぶときには、底面部を構成する各フラップが開いてしまう可能性を否定できない。
【００１０】
また梱包箱を積重ねた場合には、各梱包箱の間に生じた空間はデッドスペースとなることに加え、天面および底面を閉止するときに、閉止爪を立てた状態で係止しなければならず、内部の収容物と閉止爪との干渉が生じる。この干渉を避けるため天面と収容物との間、および底面と収容物との間に空間を確保すると、これら空間もデッドスペースとなる。こうした梱包箱の内外のデッドスペースは輸送コストを上昇させる。
【００１１】
加えて梱包箱を重ねる場合には、下方の梱包箱の八角形側壁と、上方の梱包箱の八角形側壁とがずれないような、慎重な作業が求められ、仮に積重ね時にずれがなくても、運送中の振動等でずれが生じ得る。
【先行技術文献】
【特許文献】
【００１２】
【特許文献１】特開２０００−１５３８２４号公報
【特許文献２】特開２００４−１６８３５４号公報
【特許文献３】特開２０１２−２４５９８９号公報
【発明の概要】
【発明が解決しようとする課題】
【００１３】
そこで本発明は、ブランクを折り曲げるだけで容易に形成することができ、開梱に際し道具を必要とせず手で開梱することができ、物品の収容が容易であり、底板部が十分な強度を有し、収容物との干渉を生じることなく容易に閉止することができ、強度に優れて積重ねることができ、通気性に優れ、物品を収容する際に内部にデッドスペースを生じることがなく、積重ねたり並べたりした場合であっても各梱包箱の間にデッドスペースを生じることがなく、積重ね等の作業が容易であり、好ましくは、収容物に付着等した水分が滴下したときに、この滴下した水分を外部へと排出することができる梱包箱の実現を課題とした。
【課題を解決するための手段】
【００１４】
上記課題を解決するため本発明に係る梱包箱のブランクは、長方形状の底板部、底板部の前方に連接した前板部、底板部の後方に連接した後板部、底板部の右方に連接した右側板部、および底板部の左方に連接した左側板部を有している。ブランクは例えば段ボール等で形成され、底板部に対し前板部、後板部、右側板部および左側板部をそれぞれ同一方向に折り曲げることで、容易に該梱包箱を形成することができる。
【００１５】
ブランクは、底板部に対し右側板部および左側板部をそれぞれ同一方向に折り曲げたときに、右側板部の前方に連接した右前方フラップと、左側板部の前方に連接した左前方フラップとを連結するための前方フラップ連結手段を有している。またブランクは、同様に右後方フラップおよび左後方フラップを連結するための後方フラップ連結手段を有している。
【００１６】
こうしてブランクの右側板部、左側板部、右前方フラップ、左前方フラップ、右後方フラップおよび左後方フラップを折り曲げ連結するだけで、天板部が開口した箱体を形成することができる。こうして形成された箱体内部は、その内部に物品を収容する際、天板部を形成するフラップで開口部が遮られることがなく、物品を容易に収容できる。また上記箱体は、底板部が一枚で構成されているから、収容物を支えるための十分な強度を有する。
【００１７】
またブランクは、前板部を右側板部等と同方向に折り曲げたときに前板部を右側板部および左側板部に連結するための前方側部連結手段、および後板部を右側板部等と同方向に折り曲げたときに後板部を右側板部および左側板部に連結するための後方側部連結手段を有している。
【００１８】
したがって、例えば箱体に物品を収容したのちに、ブランクの前板部および後板部を折り曲げて右側板部および左側板部に連結するだけで、箱体の前方側部および後方側部を二重構造の強度に優れたもの（積重ねに耐えるもの）とすることができる。
【００１９】
ブランクの前板部および後板部を右側板部および左側板部に連結すると、第１天板部は前板部の上方に位置づけられ、また第２天板部は後板部の上方に位置づけられる。さらに第１天板部および第２天板部を折り曲げたのちに、天板部連結手段で第１天板部および第２天板部を連結するだけで箱体の開口部を塞ぐこと（該梱包箱を閉止すること）ができる。
【００２０】
右側板部、左側板部、前板部および後板部のすべてまたは何れかに設けられた通気孔は、該梱包箱の内部と外部との通気孔として機能するから、該梱包箱は通気性に優れている。またブランクは複数の連結手段を連結するだけで該梱包箱を形成することができる。
【００２１】
該梱包箱は直方体（立方体を含む）をなし、該梱包箱を複数並べ且つ積重ねる場合において、梱包箱の間に隙間を生じさせることなく容易に積重ねることができる。
【００２２】
ブランクが有する前方フラップ連結手段が、右前方フラップおよび左前方フラップの一方に形成された前方係止舌片および他方に形成された前方係止孔を有していれば、前方係止舌片を前方係止孔に向け僅かに折り曲げることで前方係止舌片と前方係止孔とを係合することができる。後方フラップ連結手段についても同様である。
【００２３】
そしてブランクが有する前方側部連結手段が、前板部および右側板部の何れか一方に形成された右前方側部係止舌片および他方に形成された右前方側部係止孔を有し、また前板部および左側板部の何れか一方に形成された左前方側部係止舌片および他方に形成された左前方側部係止孔を有していれば、前方側部係止舌片を前方側部係止孔に向け僅かに折り曲げることで前方側部係止舌片と前方側部係止孔とを係合することができる。こうして前板部と右側板部とを、そして前板部と左側板部とを連結することができる。後方側部連結手段についても前方側部連結手段と同様である。
【００２４】
ここで前方係止舌片、後方係止舌片、前方側部係止舌片および後方側部係止舌片は、何れも係止孔に向け僅かに折り曲げられるものだから、該梱包箱内部（箱体内部）の収容物と干渉することなく、また該梱包箱内部にデッドスペースを生じることもない。
【００２５】
またブランクが有する天板部連結手段が、第１天板部および第２天板部の一方に形成された天板係止爪および他方に形成された天板係止スリットを有していれば、例えば、開口部の略半分を覆った状態の第２天板部の表面を、第１天板部で覆うようにして、第２天板部の天板係止スリットに第１天板部の天板係止爪を挿入することができる。こうして第１天板部と第２天板部とを連結すれば、連結の前後を通じて第１天板部の天板係止爪と第２天板部とを略平行に位置づけることができる。すなわち天板係止爪も、該梱包箱内部（箱体内部）の収容物と干渉することなく、また該梱包箱内部にデッドスペースを生じることもない。
【００２６】
前方側部連結手段が有する右前方側部係止舌片（左前方側部係止舌片）または右前方側部係止孔（左前方側部係止孔）を、前板部において第１天板部と底板部との間の部位（例えば第１天板部と底板部との中間）に設けてもよい。後方側部連結手段においても同様である。前方側部連結手段および後方側部連結手段の双方または一方が上記のように形成されていれば、発明を実施するための形態において説明するように、第２天板部の天板係止スリットに第１天板部の天板係止爪を挿入する作業（または第１天板部の天板係止スリットに第２天板部の天板係止爪を挿入する作業）はさらに容易となる。
【００２７】
右側板部の通気孔および左側板部の通気孔は底板部を挟んで略対称に配設されていれば、複数の該梱包箱を積重ねる等した場合であっても通気性を確保することができる。上記構成の通気孔を有する１の該梱包箱の右側板部と２の該梱包箱の左側板部とを相対するように並べたときには、１の該梱包箱の右側板部の通気孔と２の該梱包箱の左側板部の通気孔とは連通して、両梱包箱の通気性を維持することができる。ここで、右側板部の通気孔および左側板部の通気孔の対称性が良好なほど、両該梱包箱の通気孔は良好に連通して（重なって）両梱包箱の通気性は向上する。
【００２８】
前板部および後板部に通気孔を有する場合であっても、前板部の通気孔および後板部の通気孔は底板部を挟んで略対称に配設されていれば、同様の通気性を確保することができる。
【００２９】
前板部および後板部が通気孔を有する場合には、右前方フラップ、右後方フラップ、左前方フラップおよび左後方フラップもフラップ通気孔を有していればよい。良好な通気性を得るためには、右前方フラップおよび左前方フラップの通気孔は前板部の通気孔とできるだけ広い範囲で連通すること（重なること）が好ましい。右後方フラップおよび左後方フラップの通気孔と後板部の通気孔との位置関係も同様である。
【００３０】
ブランクが有する前板部は、開梱引裂き部を有することで、カッターナイフ等の道具を用いることなく、前板部を底板側の領域と第１天板部側の領域とに分離することができ、該梱包箱の天板部側を開くことができる（該梱包箱を開梱できる。）。前板部に替えて後板部が開梱引裂き部を有してもよく、この場合には後板部を底板側の領域と第２天板部側の領域とに分離することで、該梱包箱を開梱できる。
【００３１】
ブランクは、右側板部を介して底板部と連接する右内側フラップ、および左側板部を介して底板部と連接する左内側フラップを有していてもよい。第１天板部および第２天板部による該梱包箱の閉止に先だって、右内側フラップおよび左内側フラップを開口部側に折り曲げておけば、該梱包箱を閉止したときに、右側板と第１天板部および第２天板部との間に生じる隙間を右内側フラップで塞ぐことができる。こうして折り曲げられた右内側フラップは、右側板の開口部側の強度を増し、例えば積重ねに耐える強度を確保する。右内側フラップについても同様である。
【００３２】
該梱包箱のブランクは、底板部と前板部との境界領域（底板前辺部）および底板部と後板部との境界領域（底板後辺部）の双方または一方に設けられた底板側積重ね部と、天板部と前板部との境界領域（天板部前辺）および第２天板部と後板部との境界領域（天板部後辺）の双方または一方に設けられた天板側積重ね部とを有していてもよい。
【００３３】
前板部側に設けられた底板側積重ね部および天板側積重ね部は、前板部を挟んで対称に配設され、後板部側に設けられた底板側積重ね部および天板側積重ね部は、後板部を挟んで対称に配設される。したがって該梱包箱を２つ積重ねようとするときに、下側の該梱包箱の天板側積重ね部に上側の該梱包箱の底板側積重ね部を係合等することで、下側の該梱包箱の天板部前辺と上側の該梱包箱の底板前辺部とを重ねることができ、また下側の該梱包箱の天板部後辺と上側の該梱包箱の底板後辺部とを重ねることができる。すなわち該梱包箱は、底板側積重ね部および天板側積重ね部を有することで、ずれを生じることなく、且つ容易に複数の該梱包箱を積重ねることができる。もちろん車載時等に梱包箱の間にデッドスペースを生じることを防ぐことができる。
【００３４】
底板側積重ね部を爪部（積重ね爪部）とし、天板側積重ね部をスリット部（積重ねスリット部）としてもよい。この場合において複数の該梱包箱を積重ねるときには、下側の該梱包箱の積重ね部スリットに上側の該梱包箱の積重ね部爪を挿入するようにして、底板側積重ね部と天板側積重ね部とを係合すればよい。また上記のように構成された底板側積重ね部は、収容物に付着等した水分が滴下したときには、この滴下した水分を外部へと排出することができる。
【発明の効果】
【００３５】
上記構成を有する本発明に係る梱包箱は、ブランクを折り曲げるだけで容易に形成できることはもとより、道具を用いず手で開梱することができ、物品の収容が容易であり、充分な強度の底板部を有し、収容物との干渉を生じることなく容易に閉止すること（すなわち内部にデッドスペースを生じないように物品を収容すること）ができ、該梱包箱の周囲にデッドスペースを生じないように且つ容易に積重ねることができ、積重ねに耐える強度を有し、且つ通気性に優れ収容物に付着等した水分を外部へと排出することができる。
【図面の簡単な説明】
【００３６】
【図１】図１は、本発明に係る梱包箱の一実施例を形成するためのブランクの平面概略構成を示した図であり、梱包箱の内面側となる面を示したものである。
【図２】図１に示すブランクが有する前方フラップ連結手段および前方側部連結手段の平面概略構成を示した図である。
【図３】図１に示すブランクが有する後方フラップ連結手段および後方側部連結手段の平面概略構成を示した図である。
【図４】図１に示すブランクが有する天板部連結手段の平面概略構成を示した図であり、図４（ａ）は天板部連結手段が有する天板係止爪を示し、図４（ｂ）は天板部連結手段が有する天板係止スリットを示す。
【図５】図１に示すブランクが有する通気孔、底板側積重ね部および天板側積重ね部の平面概略構成を示した図である。
【図６】図１に示すブランクが有する開梱引裂き部の平面概略構成を示した図である。
【図７】図１に示すブランクの右前方フラップ、右後方フラップ、右側板部等の折り曲げを説明するための図である。
【図８】図１に示すブランクの、左前方フラップと右前方フラップとの係止等について説明するための図である。
【図９】図１に示すブランクを折り曲げて形成する有底箱体を説明するための図である。
【図１０】図１に示すブランクを折り曲げて形成された有底箱体の閉止について説明するための図である。
【図１１】図１に示すブランクを折り曲げて形成された梱包箱の開梱について説明するための図である。
【図１２】図１に示すブランクを折り曲げて形成された梱包箱の積重ねについて説明するための図である。
【図１３】図１に示すブランクを折り曲げて形成された梱包箱を積重ねた状態等について説明するための図である。
【図１４】図１に示すブランクを折り曲げて形成された梱包箱を横並びにした状態等について説明するための図である。
【図１５】図１に示すブランクを折り曲げて形成された梱包箱を縦並びにした状態等について説明するための図である。
【発明を実施するための形態】
【００３７】
以下、図面を参照して本発明にかかる梱包箱について説明する。
【００３８】
＜ブランクの平面構成＞
本発明の一実施例にかかる梱包箱１Ａを、それを形成するためのブランク２Ａとともに説明する。図１に示す平面概略構成を有するブランク２Ａは、何れも長方形状を有する底板部１０、前板部２０、後板部３０、第１天板部４１、第２天板部４２、右側板部５０および左側板部６０を有しており、例えば定尺の段ボール等から裁断されたものである。ここで底板部１０と前板部２０との境界（折り目線）は底板前辺部１０ａ（例えば長さが３９４ｍｍ）をなし、底板部１０と後板部３０との境界（折り目線）は底板後辺部１０ｂをなし、底板部１０と右側板部５０との境界（折り目線）は底板右辺部１０ｃ（例えば長さが２５８ｍｍ）をなし、そして底板部１０と左側板部６０との境界（折り目線）は底板左辺部１０ｄをなしている。
【００３９】
前板部２０を介して底板部１０と連接する第１天板部４１の長さは、底板右辺部１０ｃの長さの二分の一程度（例えば１２７ｍｍ）であり、後板部３０を介して底板部１０と連接する第２天板部４２の長さは、底板右辺部１０ｃの長さの三分の二弱（例えば１６４ｍｍ）である。
【００４０】
＜各フラップ＞
右側板部５０は、さらに前方に連接する右前方フラップ５１、後方に連接する右後方フラップ５２および右側に連接する右内側フラップ５３を有している（右内側フラップ５３は右側板部５を介して底板部１０と連接している）。同様に、左側板部６０も、さらに前方に連接する左前方フラップ６１、後方に連接する左後方フラップ６２および左側に連接する左内側フラップ６３を有している。右前方フラップ５１、右後方フラップ５２、右内側フラップ５３、左前方フラップ６１、左後方フラップ６２および左内側フラップ６３は何れも略長方形状を有している。
【００４１】
ここで右側板部５０と右前方フラップ５１との境界（折り目線）は右前辺部５０ａ（例えば長さが２００ｍｍ弱）をなし、右側板部５０と右後方フラップ５２との境界（折り目線）は右後辺部５０ｂをなし、左側板部６０と左前方フラップ６１との境界（折り目線）は左前辺部６０ａをなし、左側板部６０と左後方フラップ６２との境界（折り目線）は左後辺部６０ｂをなしている。また右側板部５０と右内側フラップ５３との境界（折り目線）は右側板上辺部５０ｃをなし、左側板部６０と左内側フラップ６３との境界（折り目線）は左側板上辺部６０ｃをなす。
【００４２】
右前方フラップ５１は、右前辺部５０ａと相対する先端辺部５１ａ、前板部２０と相対する側の辺部となる右前上辺部５１ｂ、および前板部２０側の辺部となる右前底辺部５１ｃを有している。同様に右後方フラップ５２は、先端辺部５２ａ、後板部３０と相対する側の辺部となる右後上辺部５２ｂ、および右後底辺部５２ｃを有し、左前方フラップ６１は、先端辺部６１ａ、前板部２０と相対する側の辺部となる左前上辺部６１ｂおよび左前底辺部６１ｃを有し、左後方フラップ６２は、先端辺部６２ａ、後板部３０と相対する側の辺部となる左後上辺部６２ｂ、および左後底辺部６２ｃを有している。
【００４３】
右前方フラップ５１および左前方フラップ６１の長さは、底板前辺部１０ａの長さの例えば三分の二程度（例えば２６０〜２７０ｍｍ）であり、右後方フラップ５２および左後方フラップ６２の長さも同様である。また右内側フラップ５３および左内側フラップ６３の長さは、底板前辺部１０ａの長さの例えば五分の一程度（例えば８０ｍｍ）である。
【００４４】
＜各天板部＞
第１天板部４１と前板部２０との境界（折り目線）は第１天板前辺部４１ａをなし、そして第２天板部４２と後板部３０との境界（折り目線）は第２天板後辺部４２ａをなす。第１天板部４１の第１天板前辺部４１ａと相対する辺部は、第１天板端辺部４１ｂとなっており、第２天板部４２の第２天板後辺部４２ａと相対する辺部は、第２天板端辺部４２ｂとなっている。
【００４５】
なお本明細書では、ブランク２Ａを折り曲げて梱包箱１Ａを形成したときに、底板前辺部１０ａと平行する方向を幅方向とし、底板右辺部１０ｃと平行する方向を縦方向とし、右前辺部５０ａと平行する方向を高さ方向とする。ブランク２Ａは、例えば段ボール、厚紙などの素材で形成できるが、これら素材に限定されない。
【００４６】
＜前方フラップ連結手段＞
図２に示すように、右前方フラップ５１と左前方フラップ６１とを連結する前方フラップ連結手段は、右前方フラップ５１が有する台形状の前方係止孔５１１および左前方フラップ６１が有する台形状の前方係止舌片６１１で構成される。
【００４７】
前方係止孔５１１は右前方フラップ５１の長さ方向中心線上に対称に形成されている。前方係止孔５１１では、右側板部５０側に位置する底辺縁部５１１ａは右前方フラップ５１の先端辺部５１ａ側に位置する上辺縁部５１１ｂよりも若干長い。
【００４８】
前方係止舌片６１１は左前方フラップ６１の長さ方向中心線上に形成されており、右側板部６０側に位置する接続辺部６１１ｂだけで左前方フラップ６１と連接している（接続辺部６１１ｂは折り目線でもある。）。前方係止舌片６１１では、接続辺部６１１ｂは左前方フラップ６１の先端辺部６１ａ側に位置する先端部辺６１１ａよりも若干短い。
【００４９】
前方係止舌片６１１の台形状を画する輪郭は前方係止孔５１１の形状と略合同で、前方係止舌片６１１の接続辺部６１１ｂは前方係止孔５１１の上辺縁部５１１ｂと略同じ長さだが、前方係止舌片６１１の先端部辺６１１ａは、前方係止孔５１１の底辺縁部５１１ａよりも若干長い。
【００５０】
ここで前方係止孔５１１の中央と右前辺部５０ａとの間隔は底板前辺部１０ａの長さの略二分の一であり、前方係止舌片６１１の中央と左前辺部６０ａとの間隔も底板前辺部１０ａの長さの略二分の一である。
【００５１】
なお前方フラップ連結手段は、右前方フラップ５１と左前方フラップ６１とを連結できるものであれば、上記構成に限定されない。例えば右前方フラップ５１は前方係止孔５１１に替え前方係止舌片を有し、左前方フラップ６１は前方係止舌片６１１に替え前方係止孔を有していてもよい。
【００５２】
＜後方フラップ連結手段＞
図３に示すように、右後方フラップ５２と左後方フラップ６２とを連結する後方フラップ連結手段は、右後方フラップ５２が有する台形状の後方係止孔５２１および左後方フラップ６２が有する台形状の後方係止舌片６２１で構成される。ここで後方係止孔５２１は前方係止孔５１１と同様に形成されており、また後方係止舌片６２１は前方係止舌片６１１と同様に形成されている。なお後方フラップ連結手段は、前方フラップ連結手段と同様、上記構成に限定されない。
【００５３】
＜前方側部連結手段＞
前方側部連結手段は、前板部２０と右側板部５０とを連結する右前方側部連結手段、および前板部２０と左側板部６０とを連結する左前方側部連結手段からなる。
【００５４】
右前方側部連結手段は、図２に示すように前板部２０と連接する台形状の右前方側部係止舌片２０１および右側板部５０が有する台形状の右前方側部係止孔５０１で構成される。右前方側部係止舌片２０１は、定尺の段ボール等からブランク２Ａを裁断する前には、右側板部５０の領域に含まれているが、裁断後、前板部２０の前板右辺部２０ｃの中央部において、接続辺部２０１ｂによって前板部２０と連接するように形成される。
【００５５】
右前方側部係止舌片２０１では、接続辺部２０１ｂと相対する先端辺部２０１ａは、接続辺部２０１ｂよりも若干長い。右前方側部係止孔５０１は右側板部５０側に形成されており、右前方側部係止孔５０１の上辺縁部５０１ｂは右側板部５０における右前辺部５０ａの中央部に位置づけられ、底辺縁部５０１ａが上辺縁部５０１ｂと相対している。右前方側部係止孔５０１の上辺縁部５０１ｂは底辺縁部５０１ａよりも若干短い。
【００５６】
右前方側部係止舌片２０１の台形状を画する輪郭は右前方側部係止孔５０１の形状と略合同だが、前方係止舌片６１１および前方係止孔５１１と同様に、右前方側部係止舌片２０１の先端辺部２０１ａは右前方側部係止孔５０１の底辺縁部５０１ａよりも若干長い。
【００５７】
左前方側部連結手段は、図２に示すように前板部２０と連接する左前方側部係止舌片２０２および左側板部６０が有する左前方側部係止孔６０２で構成される。左前方側部係止舌片２０２は右前方側部係止舌片２０１と同様に構成され（前板部２０の前板左辺部２０ｄの中央部に連接している）、左前方側部係止孔６０２は右前方側部係止孔５０１と同様に構成されている。
【００５８】
なお前方側部連結手段は、前板部２０と右側板部５０とを連結できるものであれば、上記構成に限定されない。例えば右側板部５０（左側板部６０）は右前方側部係止孔５０１（左前方側部係止孔６０２）に替え右前方側部係止舌片（左前方側部係止舌片）を有し、前板部２０は右前方側部係止舌片２０１（左前方側部係止舌片２０２）に替え右前方側部係止孔（左前方側部係止孔）を有していてもよい。
【００５９】
＜後方側部連結手段＞
後方側部連結手段は、後板部３０と右側板部５０とを連結する右後方側部連結手段、および後板部３０と左側板部６０とを連結する左後方側部連結手段からなる。
【００６０】
右後方側部連結手段は、図３に示すように、後板部３０と連接する右後方側部係止舌片３０３および右側板部５０が有する右後方側部係止孔５０３で構成される。右後方側部係止舌片３０３は、後板部３０において右前方側部係止舌片２０１と同様に構成され、右後方側部係止孔５０３は、右側板部５０の右後辺部５０ｂ近傍において右前方側部係止孔５０１と同様に構成されている。
【００６１】
左後方側部連結手段は、図３に示すように、後板部３０と連接する左後方側部係止舌片３０４および左側板部６０が有する左後方側部係止孔６０４で構成される。左後方側部係止舌片３０４は右後方側部係止舌片３０３と同様に構成され、左後方側部係止孔６０４は右後方側部係止孔５０３と同様に構成されている。なお後方側部連結手段は、前方側部連結手段と同様、上記構成に限定されない。
【００６２】
＜天板部連結手段＞
ブランク２Ａにおける天板部連結手段は、第１天板部４１と第２天板部４２とを連結する天板係止爪４１１および天板係止スリット４２１からなる（連結された第１天板部４１および第２天板部４２は天板部４０を形成する。）。図４（ａ）に示すように、天板係止爪４１１は、第１天板部４１の第１天板端辺部４１ｂの中央部から延出している。天板係止スリット４２１は、図４（ｂ）に示すように、第２天板部４２の、第２天板後辺部４２ａと第２天板端辺部４２ｂとの間に配設されている。
【００６３】
天板係止爪４１１と第１天板部４１の第１天板前辺部４１ａとの間隔は、底板右辺部１０ｃの長さの略二分の一程度であり、天板係止スリット４２１と第２天板部４２の第２天板後辺部４２ａとの間隔も、底板右辺部１０ｃの長さの略二分の一程度である。
【００６４】
天板係止爪４１１は、接続部４１１ｊ、爪本体部４１１ｔ、最大幅部４１１ａ、爪先部４１１ｂ、および切抜き部４１１ｓを有している。これら天板係止爪４１１の構成要素は、何れも第１天板部４１の幅方向においてセンター振り分けされている。
【００６５】
接続部４１１ｊは爪本体部４１１ｔと第１天板部４１との間に介在し、爪本体部４１１ｔは、接続部４１１ｊ近傍が最も幅広の最大幅部４１１ａとなっており（最大幅部４１１ａの幅は例えば第１天板端辺部４１ｂの長さの三分の一から二分の一程度となっており）、爪先部４１１ｂに向け幅が狭くなっている。切抜き部４１１ｓは、接続部４１１ｊの中央部分において、第１天板部４１にまたがる細長いスリット形状をなしている。
【００６６】
天板係止スリット４２１は、主切込線部４２１ａ、２つの副切込線部４２１ｂ、２つの切抜き部４２１ｓ、間隙４２１ｓ’および舌部４２１ｔを有している。これら天板係止スリット４２１の構成要素は、何れも第２天板部４２の幅方向でセンター振り分けされている。
【００６７】
主切込線部４２１ａの両端には、第２天板後辺部４２ａから離れる方向に副切込線部４２１ｂが連続して形成されている。主切込線部４２１ａと第２天板後辺部４２ａとの間隔は第１天板部４１の長さと略等しくなっており、第１天板部４１と第２天板部４２とを重ねて梱包箱１を閉止するときに、天板係止爪４１１を主切込線部４２１ａに挿入することができる。
【００６８】
主切込線部４２１ａの長さは、天板係止爪４１１の最大幅部４１１ａの幅よりも若干短い。したがって天板係止爪４１１を天板係止スリット４２１に容易に挿入できる一方、主切込線部４２１ａは天板係止スリット４２１に挿入された天板係止爪４１１の抜け止となる。
【００６９】
切抜き部４２１ｓは、主切込線部４２１ａから、第２天板端辺部４２ｂ側に向け形成されており、その横幅は天板係止爪４１１の接続部４１１ｊの横幅よりも狭い。切抜き部４２１ｓの中央部には、舌部４２１ｔが主切込線部４２１ａに向け延出し、その先端と主切込線部４２１ａとの間に間隙４２１ｓ’が形成されており、舌部４２１ｔの横幅は天板係止爪４１１の切抜き部４１１ｓの横幅よりも若干狭い。切抜き部４２１ｓの縦幅は天板係止爪４１１の接続部４１１ｊの長さより若干長く、舌部４２１ｔの長さは天板係止爪４１１の接続部４１１ｊの長さと略等しいか若干長い。
【００７０】
したがって、天板係止爪４１１を天板係止スリット４２１に挿入すると、舌部４２１ｔが天板係止爪４１１の切抜き部４１１ｓに係止して、天板係止爪４１１が天板係止スリット４２１から離脱することを防ぐことができる。
【００７１】
＜通気孔＞
図５に示すように、ブランク２Ａには、前板部２０に例えば２つの前部通気孔２０５が、後板部３０に例えば２つの後部通気孔３０５が、右側板部５０に例えば２つの右側部通気孔５０５が、そして左側板部６０に例えば２つの左側部通気孔６０５が設けられている。さらにブランク２Ａでは、右前方フラップ５１に右前フラップ通気孔５１５が、右後方フラップ５２に右後フラップ通気孔５２５が、左前方フラップ６１に左前フラップ通気孔６１５が、そして左後方フラップ６２に左後フラップ通気孔６２５が設けられている。いずれの通気孔も略長方形状をなし、両端部は丸みを帯びている。
【００７２】
前部通気孔２０５および後部通気孔３０５は、長さは前板部２０（後板部３０）の高さの例えば三分の一程度であり、幅は前板部２０（後板部３０）の幅の例えば二十分の一程度である。
【００７３】
右側部通気孔５０５および左側部通気孔６０５は、長さが右側板部５０（左側板部６０）の高さの例えば三分の一程度であり、幅が底板右辺部１０ｃ（底板左辺部１０ｄ）の例えば十分の一程度である。２つの右側部通気孔５０５および２つの左側部通気孔６０５は、底板部１０を挟んで対称に形成されている。したがって、右側板部５０および左側板部６０を、底板部１０に対し同方向で且つ垂直に折り曲げたときには、２つの右側部通気孔５０５および２つの左側部通気孔６０５は互いに正対する。
【００７４】
右前フラップ通気孔５１５および左前フラップ通気孔６１５は前部通気孔２０５と形状が同じであり、右後フラップ通気孔５２５および左後フラップ通気孔６２５は後部通気孔３０５と形状が同じである。ブランク２Ａを折り曲げて梱包箱１Ａを形成したとき、右前フラップ通気孔５１５および左前フラップ通気孔６１５は前部通気孔２０５と重なる部位に形成されており、また右後フラップ通気孔５２５および左後フラップ通気孔６２５は後部通気孔３０５と重なる部位に形成されている。
【００７５】
＜開梱引裂き部＞
図６に示すように、ブランク２Ａは、前板部２０に開梱引裂き部２１０を有し、開梱引裂き部２１０は、第１引裂き線２１１、第２引裂き線２１２および引裂き始点部２１３を有している。引裂き始点部２１３は、ミシン目で形成された第１、第２引き裂き線２１１、２１２を、例えば手で引裂くための引裂き始点部であり、底板部１０の底板前辺部１０ａの中間点近傍から第１天板部４１側に向け略矩形の切込みとして形成されている。切込み幅は例えば２〜３本の指先を挿入できる程度のものである。
【００７６】
第１引裂き線２１１は、引裂き始点部２１３から前板部２０の前板右辺部２０ｃにかけて形成されており、引裂き始点部２１３と相対する第１引裂き線２１１の端部は、第１天板部４１の第１天板前辺部４１ａに近い前板部２０の前板右辺部２０ｃ上にある。第２引裂き線２１２は、前板部２０において第１引裂き線２１１と左右対称に形成されている。第１引裂き線２１１および第２引裂き線２１２と、第１天板前辺部４１ａとの間の領域は主前板部２０ｍとなっており、前板部２０の残余の領域は２つの副前板部２０ｓとなっている。
【００７７】
＜底板側積重ね部および天板側積重ね部＞
図５に示すように、ブランク２Ａは、底板部１０の底板前辺部１０ａ上に配設された２つの底板前側積重ね部１１０、底板後辺部１０ｂ上に配設された２つの底板後側積重ね部１２０、第１天板部４１の第１天板前辺部４１ａ上に配設された２つの天板前側積重ね部４１０、および第２天板後辺部４２ａ上に配設された２つの天板後側積重ね部４２０を有している。
【００７８】
ここで２つの底板前側積重ね部１１０は底板部１０の底板前辺部１０ａ上においてセンター振り分けに配設されており、そして２つの底板前側積重ね部１１０および２つの底板後側積重ね部１２０は底板部１０を挟んで対称に配設されている。また２つの底板前側積重ね部１１０および２つの天板前側積重ね部４１０は前板部２０を挟んで対称に配設され、２つの底板後側積重ね部１２０および２つの天板後側積重ね部４２０は後板部３０を挟んで対称に配設されている。
【００７９】
底板前側積重ね部１１０は底板部１０の底板前辺部１０ａから底板部１０の内部側に延出する矩形の舌片１１０ｔとして形成され、底板後側積重ね部１２０は底板部１０の底板後辺部１０ｂから底板部１０の内部側に延出する矩形の舌片１２０ｔとして形成される。舌片１１０ｔは底板前辺部１０ａ上から延出し、舌片１２０ｔは底板後辺部１０ｂ上から延出する（図５、９および１０等参照）。
【００８０】
２つの天板前側積重ね部４１０は、第１天板部４１の第１天板前辺部４１ａ上において、前板部２０および第１天板部４１にかけて形成された長方形状のスリットであり、同様に２つの天板後側積重ね部４２０は、第２天板部４２の第２天板後辺部４２ａ上において形成された長方形状のスリットである。
【００８１】
ブランク２Ａを折り曲げて梱包箱１Ａを形成したとき、右前方フラップ５１の右前上辺部５１ｂは、第１天板部４１の第１天板前辺部４１ａの内側に位置づけられる。このとき天板前側積重ね部４１０の内側に位置づけられる右前方フラップ５１の右前上辺部５１ｂの部位には、右前上辺切込み部５１０ｂが形成されており、天板前側積重ね部４１０のスリットが右前方フラップ５１で塞がれないようになっている。同様に右後方フラップ５２の右後上辺部５２ｂには右後上辺切込み部５２０ｂが形成されており、左前方フラップ６１の左前上辺部６１ｂには左前上辺切込み部６１０ｂが形成されており、左後方フラップ６２の左後上辺部６２ｂには左後上辺切込み部６２０ｂが形成されている。
【００８２】
＜手かけ孔部＞
なおブランク２Ａは、図５に示すように、右側板部５０に配設された右側手かけ孔５０６、および左板部６０に配設された左側手かけ孔６０６を有している。右側手かけ孔５０６は、右側板上辺部５０ｃよりで、かつ右側板上辺部５０ｃと平行に形成された略長方形状（両端部は丸みを帯びている）をなしており、同様に左側手かけ孔６０６は、左側板上辺部６０ｃよりで、かつ左側板上辺部６０ｃと平行に形成された略長方形状をなしている。
【００８３】
＜梱包箱の組立および物品の収容＞
次に梱包箱１Ａの組立について説明する。
【００８４】
＜右左側板部等の折り曲げ＞
先ず右側板部５０に対し、右前方フラップ５１および右後方フラップ５２を略直角に谷折りする（図７（ａ））。このとき未だ右内側フラップ５３は右側板部５０に対し折り曲げられていない。同様に左側板部６０に対し、左前方フラップ６１および左後方フラップ６２を略直角に谷折りする（図示せず）。さらに右側板部５０および左側板部６０を谷折りして、図７（ｂ）に示すように、右前方フラップ５１を左前方フラップ６１の内側に、そして右後方フラップ５２を左後方フラップ６２の内側に位置づける。
【００８５】
すると図８（ａ）に示すように、左前方フラップ６１の前方係止舌片６１１は右前方フラップ５１の前方係止孔５１１の丁度外側に位置づけられる（図８（ａ）は右前方フラップ５１および左前方フラップ６１を前板部２０の側から見た図である。）。
【００８６】
そして左前方フラップ６１の前方係止舌片６１１を例えば指先で押すと、図８（ｂ）に示すように、前方係止舌片６１１は、外側から接続辺部６１１ｂを折り目線として、先端部辺６１１ａ側から右前方フラップ５１の前方係止孔５１１に押し込まれる（図８（ｂ）は、図８（ａ）におけるＡ−Ａ断面を示し、前方係止舌片６１１と前方係止孔５１１とが係止した状態を示す図である。）。
【００８７】
こうして左前方フラップ６１の前方係止舌片６１１が右前方フラップ５１の前方係止孔５１１に押し込まれると、前方係止舌片６１１の先端部辺６１１ａは、前方係止孔５１１の底辺縁部５１１ａよりも若干長いので、前方係止舌片６１１は前方係止孔５１１から抜け難い状態となる（右前方フラップ５１と左前方フラップ６１とを容易かつ確実に連結することができる。）。同様にして、右後方フラップ５２が有する後方係止孔５２１に、左後方フラップ６２が有する後方係止舌片６２１を係止することで、右後方フラップ５２と左後方フラップ６２とを容易かつ確実に連結することができる。
【００８８】
すると図７（ｂ）に示すように、底板部１０、右側板部５０、左側板部６０、右前方フラップ５１と左前方フラップ６１、および右後方フラップ５２と左後方フラップ６２で構成される有底箱体３Ａが形成される。有底箱体３Ａでは、右側板部５０の２つの右側部通気孔５０５と左側板部６０の２つの左側部通気孔６０５とは正対する。
【００８９】
なお右前方フラップ５１を左前方フラップ６１の外側に、そして右後方フラップ５２を左後方フラップ６２の外側に位置づけることもできる。この場合には、左前方フラップ６１の前方係止舌片６１１は、図８（ｃ）に示すように右前方フラップ５１の前方係止孔５１１の内側に位置づけられ、内側から接続辺部６１１ｂを折り目線として先端部辺６１１ａ側から右前方フラップ５１の前方係止孔５１１に押し込まれることとなる。右後方フラップ５２および左後方フラップ６２についても同様である。
【００９０】
＜前板部および後ろ板部等の折り曲げ＞
有底箱体３Ａが形成されたのち、前板部２０を右前方フラップ５１および左前方フラップ６１の外側に接するように折り曲げ、また後板部３０を右後方フラップ５２および左後方フラップ６２の外側に接するように折り曲げる。
【００９１】
そして、前板部２０と連接する右前方側部係止舌片２０１を指先で折り曲げて、右側板部５０が有する右前方側部係止孔５０１に押し込む。すると前板部２０と連接する右前方側部係止舌片２０１および右側板部５０の右前方側部係止孔５０１で構成される右前方側部連結手段（図２参照）は、右前方フラップ５１の前方係止孔５１１および左前方フラップ６１の前方係止舌片６１１で構成される前方フラップ連結手段（図８参照）と同様に、容易かつ確実に連結される。
【００９２】
同様に、前板部２０と連接する左前方側部係止舌片２０２および左側板部６０の右前方側部係止孔６０２で構成される左前方側部連結手段（図２参照）も、容易かつ確実に連結され、後板部３０と連接する右後方側部係止舌片３０３および右側板部５０の右後方側部係止孔５０３で構成される右後方側部連結手段（図３参照）も、容易かつ確実に連結され、後板部３０と連接する左後方側部係止舌片３０４および左側板部６０の左後方側部係止孔６０４で構成される左後方側部連結手段（図３参照）も、容易かつ確実に連結される。
【００９３】
すると、図９（ａ）に示すように、有底箱体３Ａにおける右前方フラップ５１および左前方フラップ６１の外側に前板部２０が接するように位置づけられて、また右後方フラップ５２および左後方フラップ６２の外側に後板部３０が接するように位置づけられて有底箱体３Ｂが形成される。したがって有底箱体３Ｂでは、前板部２０側および後板部３０側は二重構造（一部は三重構造）となって強度が増す。また有底箱体３Ｂでは、右前フラップ通気孔５１５および左前フラップ通気孔６１５は前部通気孔２０５と重なり、右後フラップ通気孔５２５および左後フラップ通気孔６２５も後部通気孔３０５と重なる。
【００９４】
有底箱体３Ｂでは、前板部２０が折り曲げられて、底板部１０の底板前辺部１０ａに形成された底板前側積重ね部１１０では、矩形の舌片１１０ｔが底板前辺部１０ａの下方に向け延出しており（図９（ａ）等）、また舌片１１０ｔが延出した結果、舌片１１０ｔの近傍にスリット１１０ｓが形成されている。また後板部３０が折り曲げられた結果、同様に底板部１０の底板後辺部１０ｂに形成された底板後側積重ね部１２０では、矩形の舌片１２０ｔが底板後辺部１０ｂの下方に向け延出しており（図９（ｂ））、また舌片１２０ｔが延出した結果、舌片１２０ｔの近傍にスリット１２０ｓが形成されている（図９（ｂ））。
【００９５】
＜物品の収容＞
有底箱体３Ａでは、連結された右前方フラップ５１および左前方フラップ６１の上方、および連結された右後方フラップ５２および左後方フラップ６２の上方に立ち上がっているフラップはなく、前右側板部５０から短い右内側フラップ５３が、また左側板部６０からも同様に左内側フラップ６３が、それぞれ略垂直に立ち上がっているだけである。したがって、有底箱体３Ａの内部に物品を容易に収容することができる。
【００９６】
＜梱包箱の閉止＞
有底箱体３Ａに物品を収容したのち、さらに右前方側部連結手段、左前方側部連結手段、右後方側部連結手段および左後方側部連結手段をそれぞれ連結して（物品の収容後に有底箱体３Ｂが形成される）、開口部３００を閉止する（梱包箱１Ａを閉止する。）。
【００９７】
閉止は、第１天板部４１の天板係止爪４１１および第２天板部４２の天板係止スリット４２１からなる天板部連結手段の連結によって行う（連結された第１天板部４１および第２天板部４２は天板部４０を形成する。）。
【００９８】
詳細には、先ず右内側フラップ５３および左内側フラップ６３を、開口部３００を塞ぐ方向に折り曲げる。次に図１０（ａ）に示すように、第１天板部４１を第２天板部４２の上方に位置づけるように第１天板部４１および第２天板部４２を折り曲げて、有底箱体３Ｂの開口部を塞ぐ。
【００９９】
このとき前板部２０は、前板右辺部２０ｃの中央部に連接する右前方側部係止舌片２０１で右側板部５０と連結されており、また前板左辺部２０ｄの中央部に連接する左前方側部係止舌片２０２で左側板部６０と連結されている。したがって図１０（ａ）に示すように、前板部２０の上部側の略二分の一の領域（第１天板部４１側）を、右前方フラップ５１および左前方フラップ６１から若干外側に離間するように、弓なりに反らせることができる。後板部３０の上部側の略二分の一の領域（第２天板部４２側）も同様である。
【０１００】
このように前板部２０の上部側および後板部３０の上部側を弓なりに反らせることで、天板係止爪４１１を折り曲げることなく、天板係止爪４１１の爪先部４１１ｂを天板係止スリット４２１の近傍に位置づけることができる。
【０１０１】
さらに天板係止爪４１１の爪本体部４１１ｔを天板係止スリット４２１の主切込線部４２１ａに挿入すると、爪本体部４１１ｔは、天板係止スリット４２１の副切込線部４２１ｂの近傍領域を押し広げながら主切込線部４２１ａを通過し、天板係止爪４１１の切抜き部４１１ｓは舌部４２１ｔよりも主切込線部４２１ａに寄った部位に位置づけられる。こうして天板係止爪４１１の爪本体部４１１ｔは、第２天板部４２の内側に位置づけられて、図１０（ｂ）に示すように梱包箱１Ａの閉止が完了する。
【０１０２】
すなわち天板係止爪４１１の爪本体部４１１ｔを折り曲げることなく、天板係止爪４１１の爪先部４１１ｂを天板係止スリット４２１の近傍に位置づけたのち、天板係止爪４１１と天板係止スリット４２１とを係止することができるから、天板係止爪４１１は、梱包箱１Ａの収容物と干渉することなく、梱包箱１Ａを閉止できる。
【０１０３】
このとき副切込線部４２１ｂの近傍領域は弾性でもとに戻ろうとする結果、副切込線部４２１ｂは天板係止爪４１１の爪本体部４１１ｔの抜け止めとして機能し、また天板係止爪４１１の切抜き部４１１ｓに舌部４２１ｔが係止して、爪本体部４１１ｔの抜け止めとして機能する。したがって天板係止爪４１１および天板係止スリット４２１からなる天板部連結手段は、容易に連結できる一方、抜けにくい連結を実現できる。
【０１０４】
梱包箱１Ａにおいては、第１天板部４１および第２天板部４２が折り曲げられた結果、図１０（ｂ）に示すように第１天板部４１の第１天板前辺部４１ａ上では、天板前側積重ね部４１０としてスリットが形成され、第２天板部４２の第２天板後辺部４２ａ上では、天板後側積重ね部４２０としてスリットが形成される。
【０１０５】
＜梱包箱における通気性＞
梱包箱１Ａの４つの側面では、前板部２０は２つの前部通気孔２０５を、後板部３０は２つの後部通気孔３０５を、右側板部５０は２つの右側部通気孔５０５を、そして左側板部６０は２つの左側部通気孔６０５を有している。このように梱包箱１Ａは、４つの側面に８つの通気孔を有して内部と外部との間の通気性を実現する。
【０１０６】
梱包箱１Ａの底板部１０では、２つの底板前側積重ね部１１０にそれぞれスリット１１０ｓが形成されており、また２つの底板後側積重ね部１２０にそれぞれスリット１２０ｓが形成されている（図９（ｂ））。これら４つのスリットは梱包箱１Ａの底面側において内部と外部との間の通気性を実現する。
【０１０７】
梱包箱１Ａの天板部４０では、２つの天板前側積重ね部４１０としてスリットが形成されており、そして２つの天板後側積重ね部４２０としてスリットが形成されている（図１０（ｂ））。これら４つのスリットは梱包箱１Ａの天板側において内部と外部との間の通気性を実現する。
【０１０８】
また梱包箱１Ａを床などに置いた場合には、底板前側積重ね部１１０の２つの舌片１１０ｔおよび底板後側積重ね部１２０の２つの舌片１２０ｔは、床面と梱包箱１Ａの底板部１０との間に間隙を生じさせる。この間隙の幅（高さ）は４つの舌片の長さに略等しく、梱包箱１Ａの底板部１０の下側における通気性を実現する。
【０１０９】
梱包箱１Ａの底板部１０のスリット１１０ｓおよびスリット１２０ｓは、通気性の実現とともに、梱包箱１Ａ内部の湿気や水分の排出を実現する。例えば新鮮な野菜を収容した場合、スリット１１０ｓおよびスリット１２０ｓは梱包箱１Ａ内部で結露等した水分等の排出路となる。
【０１１０】
＜梱包箱の開梱について＞
次に梱包箱１Ａの開梱について説明する。梱包作業が完了した梱包箱１Ａ（図１０（ｂ））において、先ず引裂き始点部２１３に指先を挿入し、前板部２０を把持して前板部２０の主前板部２０ｍと、前板部２０の２つの副前板部２０ｓとを切り離すように、第１引裂き線２１１および第２引裂き線２１２を引裂く。そうすると図１１に示すように、天板部４０および前板部２０の主前板部２０ｍが、第２天板後辺部４２ａを軸部として展開される（梱包箱１Ａの天板部４０側が開梱される。）。すなわち梱包箱１Ａは道具を用いず容易に開梱でき、物品を容易に取り出すことができる。
【０１１１】
＜梱包箱の積重ね等ついて＞
例えば２つの梱包箱１Ａを積重ねる場合には、図１２に示すように、上側の梱包箱１Ａが有する底板前側積重ね部１１０の２つの舌片１１０ｔが下側の梱包箱１Ａが有する天板前側積重ね部４１０のスリットに係合するように、そして上側の梱包箱１Ａが有する底板後側積重ね部１２０の２つの舌片１２０ｔが下側の梱包箱１Ａが有する天板後側積重ね部４２０に係合するように、２つの梱包箱１Ａを積重ねる。
【０１１２】
すると下側の梱包箱１Ａの天板部４０の全領域に、上側の梱包箱１Ａの底板部１０の全領域が重なるようにして、２つの梱包箱１Ａを積重ねることができる（図１３）。３つ以上の梱包箱１Ａを積重ねる場合も同様であり、梱包箱１Ａは複数の梱包箱１Ａを最少の床スペースに、容易、且つ整然と積重ねることができる。
【０１１３】
また梱包箱１Ａは、前板部２０側が前板部２０、右前方フラップ５１および左前方フラップ６１で構成され、前板部２０側は強度が増強されている。しかも右前方フラップ５１は右側板部５０と連接しており、また左前方フラップ６１は左側板部６０と連接している。後板部３０も同様である。
【０１１４】
したがって、前板部２０側および後板部３０側は、右側板部５０、右前方フラップ５１、右後方フラップ５２、左側板部６０、左前方フラップ６１、左後方フラップ６２とともに、梱包箱１Ａの前面側および後面側の強度を増強する。したがって梱包箱１Ａは荷重に対する充分な強度を実現できる。
【０１１５】
また梱包箱１Ａでは、底板部１０、前板部２０、後板部３０、第１天板部４１および第２天板部４２はすべて連接しており、しかも第１天板部４１および第２天板部４２は連結されている。右側部側では、右側板部５０が右前方フラップ５１および右後方フラップ５２とともに前板部２０と後板部３０との間に介在している。しかも右前方フラップ５１および右後方フラップ５２は、右側板部５０に対し直角に折り曲げられて底板部１０と天板部４０と間に介在している。左側板部６０側も同様である。したがって右側板部５０および左側板部６０は、前板部２０と後板部３０との間において、梱包箱１Ａの強度を実現する。もちろん梱包箱１Ａの荷重に対する強度も実現するものとなる。
【０１１６】
また梱包箱１Ａは、天板部４０が第１天板部４１および第２天板部４２で構成され、天板部４０の一部は第１天板部４１および第２天板部４２が重なり２重構造となっている（例えば図１０、図１３参照）。したがって梱包箱１Ａは、充分な強度の天板部４０で収容物を保護できる（天板部４０は凹みにくい。）。
【０１１７】
さらに梱包箱１Ａは、一枚構成の底板部１０を有しており、底板部１０は、前板部２０、後板部３０、右側板部５０および左側板部６０と切れ目なく連接している。したがって梱包箱１Ａは、充分な強度の底板部１０で収容物を保護できる（底板部１０は抜けにくい。）。
【０１１８】
２つの梱包箱１Ａを横並びにする場合には、例えば図１４に示すように、一方の梱包箱１Ａの右側板部５０の全領域と、他方の梱包箱１Ａの左側板部６０の全領域とが接するように並べる。ここで右側板部５０の２つの右側部通気孔５０５と左側板部６０の２つの左側部通気孔６０５とは正対しているので、一方の梱包箱１Ａの右側板部５０の２つの右側部通気孔５０５と、他方の梱包箱１Ａの左側板部６０の２つの左側部通気孔６０５とは、互いにずれることなく連通する状態となる。
【０１１９】
３つ以上の梱包箱１Ａを横並びにする場合も同様であり、梱包箱１Ａは複数の梱包箱１Ａを横並びにした場合であっても、互いに連通した右側部通気孔５０５および左側部通気孔６０５が良好な通気性を確保する。
【０１２０】
２つの梱包箱１Ａを縦並びにする場合には、例えば図１５に示すように、一方の梱包箱１Ａの後板部３０の全領域と、他方の梱包箱１Ａの前板部２０の全領域とが接するように並べる。
【０１２１】
ブランク２Ａにおいて、例えば前板部２０が有する２つの前部通気孔２０５と、後板部３０が有する２つの後部通気孔３０５とが、底板部１０を挟んで対称に形成されていれば、一方の梱包箱１Ａの後板部３０の２つの後部通気孔３０５と、他方の梱包箱１Ａの前板部２０の２つの前部通気孔２０５とは、互いにずれることなく連通する状態となる。すなわち縦並びにした場合でも、梱包箱１Ａは良好な通気性を有する。
【０１２２】
梱包箱１Ａは上述の通り、積重ねた場合、横並びにした場合、縦並びにした場合の何れにおいても良好な通気性を確保できるから、縦横並びにしたうえで更に積重ねた場合でも、良好な通気性を確保できる。
【０１２３】
以上、本発明に係る梱包箱の一実施例について説明したが、本発明は、その趣旨を変更することなく適宜変形して実施することができる。
【０１２４】
例えば、少なくとも前板部の上部側の略二分の一の領域（第１天板部側）を、連結された右前方フラップおよび左前方フラップから若干外側に離間するように反らせることができれば（少なくとも前方側部連結手段の右前方係止舌片、右前方係止孔、左前方係止舌片および右前方係止孔が第１天板部と底板部と略中間に配設されていれば）、天板係止爪の爪本体部を折り曲げることなく、天板係止爪を天板係止スリットの近傍に位置づけることができ、天板係止爪が梱包箱の収容物と干渉することなく、該梱包箱を閉止できる。
【０１２５】
また、天板側積重ね部は、第１天板部の第１天板前辺部側にだけ配設されており、底板側積重ね部は底板部の底板前辺部側にだけ配設されており、そして底板側積重ね部と天板側積重ね部とが前板部を挟んで対称に配設されていれば、該梱包箱を２つ積重ねるときに、下側の該梱包箱の天板部前辺と上側の該梱包箱の底板前辺部とを重ねることができ、その結果、下側の該梱包箱の天板部後辺と上側の該梱包箱の底板後辺部とをも重ねることができる。
【産業上の利用可能性】
【０１２６】
本発明に係る梱包箱は、工業的に製造等することができるから、商品等の運搬および保管等に使用することができるから、そして商取引の対象とすることができるから、本発明は産業上の利用可能性を有する発明である。
【符号の説明】
【０１２７】
１Ａ  梱包箱
２Ａ  ブランク
１０  底板部
２０  前板部
２０１  右前方側部係止舌片（前方側部連結手段）
２０２  左前方側部係止舌片（前方側部連結手段）
２０５  前部通気孔（通気孔）
３０  後板部
３０３  右後方側部係止舌片（後方側部連結手段）
３０４  左後方側部係止舌片（後方側部連結手段）
３０５  後部通気孔（通気孔）
４０  天板部
４１  第１天板部
４２  第２天板部
４１１  天板係止爪（天板部連結手段）
４２１  天板係止スリット（天板部連結手段）
５０  右側板部
５１  右前方フラップ
５２  右後方フラップ
５０１  右前方側部係止孔（前方側部連結手段）
５０３  右後方側部係止孔（後方側部連結手段）
５０５  右側部通気孔（通気孔）
５１１  前方係止孔（前方フラップ連結手段）
５２１  後方係止孔（後方フラップ連結手段）
６０  左側板部
６１  左前方フラップ
６２  左後方フラップ
６０２  左前方側部係止孔（前方側部連結手段）
６０４  左後方側部係止孔（後方側部連結手段）
６０５  左側部通気孔（通気孔）
６１１  前方係止舌片（前方フラップ連結手段）
６２１  後方係止舌片（後方フラップ連結手段）
【要約】      （修正有）【課題】ブランクの折り曲げだけで形成でき通気性に優れ物品等の収容および開梱が容易な梱包箱を実現する。【解決手段】底板部１０、底板部前方に連接した前板部２０、底板部後方に連接した後板部３０、底板部右方に連接した右側板部５０、底板部左方に連接した左側板部６０、右側板部前方に連接する右前方フラップ５１、右側板部後方に連接する右後方フラップ５２、左側板部前方に連接する左前方フラップ６１、左側板部後方に連接する左後方フラップ６２、前板部を介して底板部と連接する第１天板部４１、後板部を介して底板部連接する第２天板部４２、右前方及び左前方フラップを連結する前方フラップ連結手段、右後方及び左後方フラップを連結する後方フラップ連結手段、前板部、右側板部、左側板部を連結する前方側部連結手段、後板部、右側板部、左側板部を連結する後方側部連結手段、天板部連結手段、通気孔有するブランク２Ａを折り曲げて形成される。【選択図】図１【図１】
0005816351.tif 000002
【図２】
0005816351.tif 000003
【図３】
0005816351.tif 000004
【図４】
0005816351.tif 000005
【図５】
0005816351.tif 000006
【図６】
0005816351.tif 000007
【図７】
0005816351.tif 000008
【図８】
0005816351.tif 000009
【図９】
0005816351.tif 000010
【図１０】
0005816351.tif 000011
【図１１】
0005816351.tif 000012
【図１２】
0005816351.tif 000013
【図１３】
0005816351.tif 000014
【図１４】
0005816351.tif 000015
【図１５】
0005816351.tif 000016